(57)【要約】【課題】意匠性を維持することが可能となる、扉装置の枠体を提供すること。【解決手段】枠体１０は、接続部品６８を用いて複数の枠材を組み合わせることにより形成された枠体１０であって、複数の枠材は上側横枠材１３及び戸尻側縦枠材１１を含み、上側横枠材１３に設けられた第１上側接続片６１及び第２上側接続片６２と、戸尻側縦枠材１１に形成された第１上側切込部７１及び第２上側切込部７２を備え、第１上側接続片６１及び第２上側接続片６２の各々は、組立状態において戸尻側縦枠材１１を上側横枠材１３に対して位置決めをする位置決め部６５と、接続部品６８を介して第１上側接続片６１又は第２上側接続片６２と戸尻側縦枠材１１とを連結するための連結部とを備え、設置状態において開口部の中央側から見て上側横枠材１３又は戸尻側縦枠材１１によって第１上側切込部７１及び第２上側切込部７２が覆われる位置に、これら切込部を設けた。【選択図】図３
2018119378.tif 000002
【特許請求の範囲】
【請求項１】
建物の開口部に設けられた扉装置を構成する枠体であり、接続部品を用いて複数の枠材を組み合わせることにより形成された枠体であって、
前記複数の枠材は、第１枠材と、前記第１枠材に対して略直交するように設けられた第２枠材と、を含み、
前記第１枠材又は前記第２枠材のいずれか一方に設けられた接続片であり、前記第１枠材と前記第２枠材とを接続するための接続片と、
前記第１枠材又は前記第２枠材のいずれか他方に形成された切込部と、を備え、
前記接続片は、
当該枠体が組み立てられた組立状態において前記第１枠材又は前記第２枠材のいずれか他方に向けて突出するように設けられた位置決め部であり、当該位置決め部を前記切込部に挿通させることにより、前記第１枠材又は前記第２枠材のいずれか他方を前記第１枠材又は前記第２枠材のいずれか一方に対して位置決めをするための位置決め部と、
前記接続部品を介して前記接続片と前記第１枠材又は前記第２枠材のいずれか他方とを連結するための連結部と、を備え、
当該枠体が前記開口部に設置された設置状態において、前記開口部の中央側から見て前記第１枠材又は前記第２枠材によって前記切込部が覆われる位置に、当該切込部を設けた、
扉装置の枠体。
【請求項２】
前記設置状態において前記第１枠材又は前記第２枠材のいずれか他方に対して突き当てられる前記第１枠材又は前記第２枠材のいずれか一方の側部のうち、前記開口部の中央側に位置する中央側側部よりも前記開口部の中央側とは反対側の位置に、前記切込部及び前記位置決め部を設けた、
請求項１に記載の扉装置の枠体。
【請求項３】
前記接続片として、
前記第１枠材又は前記第２枠材のいずれか一方の側部のうち見込み方向側の側部の一方に固定された接続片である第１接続片と、
前記第１枠材又は前記第２枠材のいずれか一方の側部のうち見込み方向側の側部の他方に固定された接続片であり、前記第１接続片とは別体に形成された接続片である第２接続片と、を設けた、
請求項１又は２に記載の扉装置の枠体。
【請求項４】
前記切込部として、
前記第１枠材又は前記第２枠材のいずれか他方の部分のうち、前記組立状態において前記第１接続片の前記位置決め部と対応する部分に形成された第１切込部であり、当該位置決め部を挿通させることが可能な第１切込部と、
前記第１枠材又は前記第２枠材のいずれか他方の部分のうち、前記組立状態において前記第２接続片の前記位置決め部と対応する部分に形成された第２切込部であり、当該位置決め部を挿通させることが可能な第２切込部と、を設け、
前記第１切込部及び前記第２切込部を一体に形成した、
請求項３に記載の扉装置の枠体。
【請求項５】
前記第１接続片及び前記第２接続片を、相互に同一の形状に形成した、
請求項３又は４に記載の扉装置の枠体。
【請求項６】
前記第１枠材又は前記第２枠材のいずれか他方及び前記連結部の各々に、前記接続部品を挿通する接続用挿通孔を形成し、
前記組立状態において、前記接続用挿通孔が、前記第１枠材又は前記第２枠材のいずれか一方の前記中央側側部よりも前記開口部の中央側とは反対側の位置であり、且つ、当該中央側側部の近傍に位置するように、当該接続用挿通孔を配置した、
請求項１から５のいずれか一項に記載の扉装置の枠体。
【請求項７】
前記建物の壁に設けられた前記扉装置を構成する当該枠体であって、
前記第１枠材は、前記開口部の上方側に位置する横枠材である上側横枠材を含み、
前記第２枠材は、前記開口部の戸尻側に位置する縦枠材である戸尻側縦枠材を含み、
前記上側横枠材における戸尻側の端部に、前記上側横枠材と前記戸尻側縦枠材とを接続するための前記接続片を設け、
前記上側横枠材に対して取り付けられたヒンジ部であって、当該ヒンジ部を介して前記扉装置を構成する扉体を回動自在に軸支するためのヒンジ部を備え、
前記接続片は、当該接続片を前記第１枠材又は前記第２枠材のいずれか一方に対して固定するための固定部を備え、
前記接続片の前記固定部及び前記上側横枠材の各々に、前記接続片を前記上側横枠材に対して固定するための固定部品を挿通する固定用挿通孔を形成し、
前記固定用挿通孔に挿通される前記固定部品を、前記ヒンジ部が設置される領域以外に配置した、
請求項１から６のいずれか一項に記載の扉装置の枠体。
【請求項８】
前記建物の壁に設けられた前記扉装置を構成する当該枠体であって、
前記第１枠材は、前記開口部の下方側に位置する横枠材であるくつずり横枠材を含み、
前記第２枠材は、前記開口部の戸尻側に位置する縦枠材である戸尻側縦枠材と、前記開口部の戸先側に位置する縦枠材である戸先側縦枠材と、を含み、
前記くつずり横枠材における戸尻側の端部に、前記くつずり横枠材と前記戸尻側縦枠材とを接続するための前記接続片であり、中空状に形成された前記接続片を設けると共に、前記くつずり横枠材における戸先側の端部に、前記くつずり横枠材と前記戸先側縦枠材とを接続するための前記接続片であり、中空状に形成された前記接続片を設け、
前記中空状の接続片は、
前記くつずり横枠材の内部に充填される充填材料が前記接続片の内部に流入することを抑制するための第１側部と、
前記第１側部とは異なる位置に設けられた第２側部であり、前記連結部として機能する第２側部と、を備えた、
請求項１から６のいずれか一項に記載の扉装置の枠体。
【請求項９】
前記建物の壁に設けられた前記扉装置を構成する当該枠体であって、
前記第１枠材は、前記開口部の上方側に位置する横枠材である上側横枠材と、前記開口部の下方側に位置する横枠材であり、当該枠体を組み立てる際にのみ用いられる横枠材である捨て横枠材と、を含み、
前記第２枠材は、前記開口部の戸尻側に位置する縦枠材である戸尻側縦枠材と、前記開口部の戸先側に位置する縦枠材である戸先側縦枠材と、を含み、
前記上側横枠材における戸尻側の端部に、前記上側横枠材と前記戸尻側縦枠材とを接続するための前記接続片を設けると共に、前記上側横枠材における戸先側の端部に、前記上側横枠材と前記戸先側縦枠材とを接続するための前記接続片を設け、
前記捨て横枠材、前記戸尻側縦枠材、及び前記戸先側縦枠材の各々に、前記捨て横枠材を前記戸尻側縦枠材又は前記戸先側縦枠材に対して取り付けるための取付部品を挿通する取付用挿通孔を形成し、
前記戸尻側縦枠材及び前記戸先側縦枠材の各々の前記取付用挿通孔を、前記設置状態において前記建物の床面よりも下方側に位置するように配置した、
請求項１から６のいずれか一項に記載の扉装置の枠体。
【発明の詳細な説明】
【技術分野】
【０００１】
本発明は、扉装置の枠体に関する。
【背景技術】
【０００２】
従来、建物の開口部に設けられる扉装置において、扉装置が設置される現場で扉装置を構成する枠体を組み立てることができる扉装置が普及している。このような扉装置は、例えば、一対の横枠及び一対の縦枠を有する枠体を備えており、一対の縦枠の各々の上端には爪板が設けられており、一対の横枠のうち上方側に位置する横枠（以下、「上側横枠」と称する）には、爪板を嵌合するためのスリットが形成されている。また、このスリットの平面形状は、爪板の断面形状よりも大きな形状に形成されており（特に、スリットの左右方向の長さが爪板の左右方向の長さよりも長くなる形状に形成されており）、枠体が建物に設置された状態においてスリットが外部に露出するように設けられている。このような構成により、これら爪板をスリットに嵌合することにより、扉装置が設置される現場において枠体をスムーズに組み立てることができる。
【先行技術文献】
【特許文献】
【０００３】
【特許文献１】特開平９−２２８７３８号公報
【発明の概要】
【発明が解決しようとする課題】
【０００４】
ここで、上記従来の枠体においては、上述したように、枠体が建物に設置された状態においてスリットが外部に露出するように設けられているので、枠体の意匠性を低下させるおそれがあった。よって、枠体の意匠性を維持する観点から改善の余地があった。
【０００５】
本発明は、上記従来技術における課題を解決するためのものであって、意匠性を維持することが可能となる、扉装置の枠体を提供することを目的とする。
【課題を解決するための手段】
【０００６】
上述した課題を解決し、目的を達成するために、請求項１に記載の扉装置の枠体は、建物の開口部に設けられた扉装置を構成する枠体であり、接続部品を用いて複数の枠材を組み合わせることにより形成された枠体であって、前記複数の枠材は、第１枠材と、前記第１枠材に対して略直交するように設けられた第２枠材と、を含み、前記第１枠材又は前記第２枠材のいずれか一方に設けられた接続片であり、前記第１枠材と前記第２枠材とを接続するための接続片と、前記第１枠材又は前記第２枠材のいずれか他方に形成された切込部と、を備え、前記接続片は、当該枠体が組み立てられた組立状態において前記第１枠材又は前記第２枠材のいずれか他方に向けて突出するように設けられた位置決め部であり、当該位置決め部を前記切込部に挿通させることにより、前記第１枠材又は前記第２枠材のいずれか他方を前記第１枠材又は前記第２枠材のいずれか一方に対して位置決めをするための位置決め部と、前記接続部品を介して前記接続片と前記第１枠材又は前記第２枠材のいずれか他方とを連結するための連結部と、を備え、当該枠体が前記開口部に設置された設置状態において、前記開口部の中央側から見て前記第１枠材又は前記第２枠材によって前記切込部が覆われる位置に、当該切込部を設けた。
【０００７】
請求項２に記載の扉装置の枠体は、請求項１に記載の扉装置の枠体において、前記設置状態において前記第１枠材又は前記第２枠材のいずれか他方に対して突き当てられる前記第１枠材又は前記第２枠材のいずれか一方の側部のうち、前記開口部の中央側に位置する中央側側部よりも前記開口部の中央側とは反対側の位置に、前記切込部及び前記位置決め部を設けた。
【０００８】
請求項３に記載の扉装置の枠体は、請求項１又は２に記載の扉装置の枠体において、前記接続片として、前記第１枠材又は前記第２枠材のいずれか一方の側部のうち見込み方向側の側部の一方に固定された接続片である第１接続片と、前記第１枠材又は前記第２枠材のいずれか一方の側部のうち見込み方向側の側部の他方に固定された接続片であり、前記第１接続片とは別体に形成された接続片である第２接続片と、を設けた。
【０００９】
請求項４に記載の扉装置の枠体は、請求項３に記載の扉装置の枠体において、前記切込部として、前記第１枠材又は前記第２枠材のいずれか他方の部分のうち、前記組立状態において前記第１接続片の前記位置決め部と対応する部分に形成された第１切込部であり、当該位置決め部を挿通させることが可能な第１切込部と、前記第１枠材又は前記第２枠材のいずれか他方の部分のうち、前記組立状態において前記第２接続片の前記位置決め部と対応する部分に形成された第２切込部であり、当該位置決め部を挿通させることが可能な第２切込部と、を設け、前記第１切込部及び前記第２切込部を一体に形成した。
【００１０】
請求項５に記載の扉装置の枠体は、請求項３又は４に記載の扉装置の枠体において、前記第１接続片及び前記第２接続片を、相互に同一の形状に形成した。
【００１１】
請求項６に記載の扉装置の枠体は、請求項１から５のいずれか一項に記載の扉装置の枠体において、前記第１枠材又は前記第２枠材のいずれか他方及び前記連結部の各々に、前記接続部品を挿通する接続用挿通孔を形成し、前記組立状態において、前記接続用挿通孔が、前記第１枠材又は前記第２枠材のいずれか一方の前記中央側側部よりも前記開口部の中央側とは反対側の位置であり、且つ、当該中央側側部の近傍に位置するように、当該接続用挿通孔を配置した。
【００１２】
請求項７に記載の扉装置の枠体は、請求項１から６のいずれか一項に記載の扉装置の枠体において、前記建物の壁に設けられた前記扉装置を構成する当該枠体であって、前記第１枠材は、前記開口部の上方側に位置する横枠材である上側横枠材を含み、前記第２枠材は、前記開口部の戸尻側に位置する縦枠材である戸尻側縦枠材を含み、前記上側横枠材における戸尻側の端部に、前記上側横枠材と前記戸尻側縦枠材とを接続するための前記接続片を設け、前記上側横枠材に対して取り付けられたヒンジ部であって、当該ヒンジ部を介して前記扉装置を構成する扉体を回動自在に軸支するためのヒンジ部を備え、前記接続片は、当該接続片を前記第１枠材又は前記第２枠材のいずれか一方に対して固定するための固定部を備え、前記接続片の前記固定部及び前記上側横枠材の各々に、前記接続片を前記上側横枠材に対して固定するための固定部品を挿通する固定用挿通孔を形成し、前記固定用挿通孔に挿通される前記固定部品を、前記ヒンジ部が設置される領域以外に配置した。
【００１３】
請求項８に記載の扉装置の枠体は、請求項１から６のいずれか一項に記載の扉装置の枠体において、前記建物の壁に設けられた前記扉装置を構成する当該枠体であって、前記第１枠材は、前記開口部の下方側に位置する横枠材であるくつずり横枠材を含み、前記第２枠材は、前記開口部の戸尻側に位置する縦枠材である戸尻側縦枠材と、前記開口部の戸先側に位置する縦枠材である戸先側縦枠材と、を含み、前記くつずり横枠材における戸尻側の端部に、前記くつずり横枠材と前記戸尻側縦枠材とを接続するための前記接続片であり、中空状に形成された前記接続片を設けると共に、前記くつずり横枠材における戸先側の端部に、前記くつずり横枠材と前記戸先側縦枠材とを接続するための前記接続片であり、中空状に形成された前記接続片を設け、前記中空状の接続片は、前記くつずり横枠材の内部に充填される充填材料が前記接続片の内部に流入することを抑制するための第１側部と、前記第１側部とは異なる位置に設けられた第２側部であり、前記連結部として機能する第２側部と、を備えた。
【００１４】
請求項９に記載の扉装置の枠体は、請求項１から６のいずれか一項に記載の扉装置の枠体において、前記建物の壁に設けられた前記扉装置を構成する当該枠体であって、前記第１枠材は、前記開口部の上方側に位置する横枠材である上側横枠材と、前記開口部の下方側に位置する横枠材であり、当該枠体を組み立てる際にのみ用いられる横枠材である捨て横枠材と、を含み、前記第２枠材は、前記開口部の戸尻側に位置する縦枠材である戸尻側縦枠材と、前記開口部の戸先側に位置する縦枠材である戸先側縦枠材と、を含み、前記上側横枠材における戸尻側の端部に、前記上側横枠材と前記戸尻側縦枠材とを接続するための前記接続片を設けると共に、前記上側横枠材における戸先側の端部に、前記上側横枠材と前記戸先側縦枠材とを接続するための前記接続片を設け、前記捨て横枠材、前記戸尻側縦枠材、及び前記戸先側縦枠材の各々に、前記捨て横枠材を前記戸尻側縦枠材又は前記戸先側縦枠材に対して取り付けるための取付部品を挿通する取付用挿通孔を形成し、前記戸尻側縦枠材及び前記戸先側縦枠材の各々の前記取付用挿通孔を、前記設置状態において前記建物の床面よりも下方側に位置するように配置した。
【発明の効果】
【００１５】
請求項１に記載の扉装置の枠体によれば、設置状態において、開口部の中央側から見て第１枠材又は第２枠材によって切込部が覆われる位置に、当該切込部を設けたので、従来技術（枠体が設置された状態において、上側横枠に形成されたスリットを外部に露出するように設けた技術）とは異なり、設置状態において切込部が外部に露出することを回避でき、枠体の意匠性を維持することが可能となる。
【００１６】
請求項２に記載の扉装置の枠体によれば、設置状態において第１枠材又は第２枠材のいずれか他方に対して突き当てられる第１枠材又は第２枠材のいずれか一方の側部のうち、開口部の中央側に位置する中央側側部よりも開口部の中央側とは反対側の位置に、切込部及び位置決め部を設けたので、設置状態において切込部が外部に露出することを一層回避でき、枠体の意匠性を一層維持できる。
【００１７】
請求項３に記載の扉装置の枠体によれば、接続片として、第１枠材又は第２枠材のいずれか一方の側部のうち見込み方向側の側部の一方に固定された第１接続片と、第１枠材又は第２枠材のいずれか一方の側部のうち見込み方向側の側部の他方に固定された接続片であり、第１接続片とは別体に形成された接続片である第２接続片と、を設けたので、第１接続片及び第２接続片を一体に形成した場合に比べて、第１枠材又は第２枠材のいずれか一方の形状又は大きさが異なる様々な枠体に対して接続でき、第１接続片及び第２接続片の設置性を向上させることが可能となる。
【００１８】
請求項４に記載の扉装置の枠体によれば、第１切込部及び第２切込部を一体に形成したので、第１切込部及び第２切込部の加工を効率的に行うことができ、第１枠材又は第２枠材のいずれか他方の製造性を向上させることが可能となる。
【００１９】
請求項５に記載の扉装置の枠体によれば、第１接続片及び第２接続片を、相互に同一の形状に形成したので、第１接続片及び第２接続片の形状の統一化を図ることができ、第１接続片及び第２接続片の製造性を向上させることが可能となる。
【００２０】
請求項６に記載の扉装置の枠体によれば、組立状態において、接続用挿通孔が、第１枠材又は第２枠材のいずれか一方の中央側側部よりも開口部の中央側とは反対側の位置であり、且つ、当該中央側側部の近傍に位置するように、当該接続用挿通孔を配置したので、開口部の中央側の側部から離れた位置に接続用挿通孔を配置した場合に比べて、組立状態において第１枠材と第２枠材との相互間に隙間が生じることを抑制でき、枠体の意匠性をさらに一層維持できる。
【００２１】
請求項７に記載の扉装置の枠体によれば、固定用挿通孔に挿通される固定部品を、ヒンジ部が設置される領域以外に配置したので、ヒンジ部を第１枠材又は第２枠材のいずれか一方に対して取り付けた場合でも、固定部品によって扉体の回動が阻害されることを回避でき、扉装置の使用性を確保できる。
【００２２】
請求項８に記載の扉装置の枠体によれば、中空状の接続片が、くつずり横枠材の内部に充填される充填材料が接続片の内部に流入することを抑制するための第１側部と、第１側部とは異なる位置に設けられた第２側部であり、連結部として機能する第２側部と、を備えたので、くつずり横枠材の内部に充填材料が充填されている場合に、接続片の内部に充填材料が流入することを回避しながら、接続部品を用いて第２側部と第１枠材又は第２枠材のいずれか他方とを確実に連結することができ、枠体の設置性を維持できる。
【００２３】
請求項９に記載の扉装置の枠体によれば、戸尻側縦枠材及び戸先側縦枠材の各々の取付用挿通孔を、設置状態において建物の床面よりも下方側に位置するように配置したので、設置状態において戸尻側縦枠材及び戸先側縦枠材の各々の取付用挿通孔が外部に露出することを回避できるので、枠体の意匠性をさらに一層維持できる。
【図面の簡単な説明】
【００２４】
【図１】本発明の実施の形態１に係る扉装置であって、全閉状態を示す正面図である。
【図２】図１の扉装置の背面図である。
【図３】枠体を示す図であり、（ａ）は正面図、（ｂ）は平面図、（ｃ）は底面図、（ｄ）は右側面図、（ｅ）は（ａ）のＡ−Ａ矢視断面図である。
【図４】図３（ｄ）の上方領域の拡大図である。
【図５】図３（ｅ）の下方領域の拡大図である。
【図６】戸尻側縦枠材を示す図であり、（ａ）は正面図、（ｂ）は左側面図、（ｃ）は右側面図、（ｄ）は平面図である。
【図７】戸先側縦枠材を示す図であり、（ａ）は正面図、（ｂ）は左側面図、（ｃ）は右側面図、（ｄ）は平面図である。
【図８】上側横枠材を示す図であり、（ａ）は正面図、（ｂ）は平面図、（ｃ）は左側面図である。
【図９】くつずり横枠材を示す図であり、（ａ）は正面図、（ｂ）は平面図、（ｃ）は底面図、（ｄ）は左側面図である。
【図１０】第１上側接続片を示す図であり、（ａ）は正面図、（ｂ）は平面図、（ｃ）右側面図である。
【図１１】第２上側接続片を示す図であり、（ａ）は正面図、（ｂ）は平面図、（ｃ）右側面図である。
【図１２】下側接続片を示す図であり、（ａ）は正面図、（ｂ）は平面図、（ｃ）右側面図である。
【図１３】第１上側接続片及び第２上側接続片の変形例を示す図であり、（ａ）は正面図、（ｂ）は平面図、（ｃ）右側面図である。
【図１４】第１上側接続片又は第２上側接続片の変形例を示す図であり、（ａ）は正面図、（ｂ）は平面図、（ｃ）右側面図である。
【図１５】第１上側接続片又は第２上側接続片の変形例を示す図であり、（ａ）は正面図、（ｂ）は平面図、（ｃ）右側面図である。
【図１６】枠体の変形例を示す右側面図である。
【図１７】くつずり横枠材の変形例を示す図であり、（ａ）は正面図、（ｂ）は平面図、（ｃ）底面図、（ｄ）左側面図である。
【図１８】下側接続片の変形例を示す図であり、（ａ）は正面図、（ｂ）は平面図、（ｃ）右側面図である。
【図１９】実施の形態２に係る戸尻側縦枠材を示す図であり、（ａ）は正面図、（ｂ）は左側面図、（ｃ）は右側面図、（ｄ）は平面図である。
【図２０】上側横枠材を示す図であり、（ａ）は正面図、（ｂ）は平面図、（ｃ）は左側面図である。
【図２１】実施の形態３に係る枠体を示す図であり、（ａ）は正面図、（ｂ）は平面図、（ｃ）は底面図、（ｄ）は右側面図、（ｅ）は（ａ）のＢ−Ｂ矢視断面図である。
【図２２】捨て横枠材を示す図であり、（ａ）は正面図、（ｂ）は平面図、（ｃ）左側面図である。
【図２３】枠体の変形例を示す図であり、（ａ）は正面図、（ｂ）は平面図、（ｃ）は底面図、（ｄ）は右側面図、（ｅ）は（ａ）のＣ−Ｃ矢視断面図である。
【発明を実施するための形態】
【００２５】
以下に添付図面を参照して、この発明に係る扉装置の枠体の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２６】
〔Ｉ〕実施の形態の基本的概念
まず、実施の形態の基本的概念について説明する。実施の形態は、概略的に、建物の開口部に設けられた扉装置を構成する枠体であり、接続部品を用いて複数の枠材を組み合わせることにより形成された枠体に関するものである。
【００２７】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、天井、床等）において出入口を設置するために形成された開口部である。また、「扉装置」は、開口部に設置される構造体であって、開口部の出入りを抑制又は制限するための構造体を意味する。また、扉装置の取り付け位置や用途は任意であるが、例えば玄関に設置される「玄関扉」、勝手口や通用口に設置される「勝手口扉」、あるいは建物内部に設置される「室内扉」等を含む。また、扉装置の開閉構造は任意であり、例えば、片開式の開き戸や両開式の開き戸（いわゆる親子扉）等の「開き戸」や「引き戸」として構成することができる。以下、実施の形態では、扉装置が、戸建て住宅の如き建物の玄関の壁に設けられた片開式の開き戸である場合について説明する。
【００２８】
〔ＩＩ〕実施の形態の具体的内容
次に、実施の形態の具体的内容について説明する。
【００２９】
〔実施の形態１〕
まず、実施の形態１に係る扉装置の枠体について説明する。この実施の形態１は、後述する扉装置の扉体が、後述するヒンジ部を介して後述する枠体の戸尻側縦枠材に対して固定された形態である。
【００３０】
（構成）
最初に、実施の形態１に係る枠体を備える扉装置の構成について説明する。以下の説明では、図１のＸ方向を扉装置の左右方向又は見付け方向（−Ｘ方向を扉装置の左方向、＋Ｘ方向を扉装置の右方向）、図３のＹ方向を扉装置の前後方向又は見込み方向（＋Ｙ方向を扉装置の前方向（建物の屋外側の方向）、−Ｙ方向を扉装置の後方向（建物の屋内側の方向））、図１のＺ方向を扉装置の上下方向又は見付け方向（＋Ｚ方向を扉装置の上方向、−Ｚ方向を扉装置の下方向）と称する。
【００３１】
図１、図２に示すように、この扉装置１は、概略的に、枠体１０、扉体２０、及びヒンジ部５０を備えて構成されている。ただし、扉装置１に関する特記しない構成については、従来と同様であるものとして説明を省略する。なお、後述する扉装置１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００３２】
（構成−枠体）
枠体１０は、建物の躯体２に形成された開口部３の周縁に設置されるものであり、鋼製（一例として、スチール、ステンレス等）の左右一対の縦枠材１１、１２及び上下一対の横枠材１３、１４（すなわち、複数の枠材）を備えている。これら縦枠材１１、１２及び横枠材１３、１４は、それぞれ開口部３の周縁における建物の躯体２に対して公知の方法で直接的に固定されており、相互に組み合わせられることによって、正面形状が略矩形環状となるように形成されている。以下では、必要に応じて、左右一対の縦枠材１１、１２のうち、開口部３の戸尻側に位置する縦枠材１１を「戸尻側縦枠材１１」と称し、開口部３の戸先側に位置する縦枠材１２を「戸先側縦枠材１２」と称する。また、上下一対の横枠材１３、１４のうち、開口部３の上方側に位置する横枠材１３を「上側横枠材１３」と称し、開口部３の下方側に位置する横枠材１４を「くつずり横枠材１４」と称する。なお、上述した「上側横枠材１３」、「くつずり横枠材１４」は、特許請求の範囲における「第１枠材」に対応し、上述した「戸尻側縦枠材１１」、「戸先側縦枠材１２」は、特許請求の範囲における「第２枠材」に対応する。
【００３３】
また、この戸先側縦枠材１２には、デッドボルト受け及びラッチ受けが設けられている（いずれも図示省略）。デッドボルト受けは、扉体２０によって開口部３が閉鎖された状態（以下、「全閉状態」と称する）において、扉体２０に設けられた後述する公知のデッドボルトを受けるためのデッドボルト受容手段であり、後述するデッドボルトと対応する位置に配置されている。ラッチ受けは、扉体２０に設けられた後述するラッチを受けるためのラッチ受容手段であり、ラッチと対応する位置に配置されている。
【００３４】
（構成−扉体）
扉体２０は、建物の開口部３を開閉するための平板状の開閉体であり、図１、図２に示すように、扉フレーム（図示省略）及び表面材４１、４２を備えている。
【００３５】
（構成−扉体−扉フレーム）
扉フレームは、扉体２０の剛性を主として担うものである。この扉フレームは、鋼製（一例として、スチール、ステンレス等）の左右一対の縦力骨（図示省略）及び上下一対の横力骨（図示省略）を組み合わせることによって、正面形状が略矩形環状となるように形成されている。
【００３６】
（構成−扉体−表面材）
表面材４１は、扉体２０の２つの主側面（扉体２０の側面のうち、面積が最も大きな側面）のいずれか一方を構成するものであって、少なくとも扉フレームにおける見込み方向（前後方向）の一方側の側面（例えば、建物の屋外側の側面）の略全体を覆うものであり、表面材４２は、扉体２０の２つの主側面のいずれか他方を構成するものであって、少なくとも扉フレームにおける見込み方向の他方側の側面（例えば、建物の屋内側の側面）の略全体を覆うものである。また、これら表面材４１、４２は、例えば薄厚な鋼材（具体的には、スチール、ステンレス）等を用いて構成されており、扉フレームを建物の屋外側及び屋内側から覆うように設けられ、扉フレームに対して溶接又は固定具等によって固定されている。
【００３７】
（構成−扉体−その他の構成）
また、図１、図２に示すように、扉体２０の戸先側には、ユーザが扉体２０の開閉操作を行うための把手２１と、扉体２０を施錠するための施錠装置（図示省略）と、施錠装置による施錠の有無に関わらず、全閉状態の位置に扉体２０を維持するためのラッチ（図示省略）とが設けられている。また、図２に示すように、扉体２０における建物の屋内側の上方には、扉体２０が開かれた場合に、扉体２０を安全な速度で自動的に閉じるためのものであると共に、扉体２０の回動状態が扉体２０によって開口部３全体が開放された状態（以下、「全開状態」と称する）以上の状態になることを規制するためのドアクローザ２２が設けられている。
【００３８】
（構成−ヒンジ部）
ヒンジ部５０は、扉体２０を戸尻側縦枠材１１に対して回動自在に軸支するためのものである。このヒンジ部５０は、公知の旗蝶番等を用いて構成されており、戸尻側の端部において、相互に間隔を隔てて上下方向に沿って複数並設されている。また、このヒンジ部５０の固定方法については任意であるが、例えば、まず、ヒンジ部５０の上支持片（図示省略）、表面材４１、及び戸尻側の縦力骨の各々に形成された取付孔（図示省略）を介して、上支持片を戸尻側の縦力骨に対して固定具により固定する。次に、下支持片に形成された取付孔（図示省略）、戸尻側縦枠材１１に形成された図６の複数の取付孔１１ａ、及び戸尻側縦枠材１１の内部に設けられた図６の第１ライナ１１ｂに形成された取付孔１１ｆを介して、ヒンジ部５０の下支持片（図示省略）を戸尻側縦枠材１１に対して固定具により固定する。そして、この下支持片と接続された下軸５２を、この上支持片と接続された上軸受５１に差し込むことにより、このヒンジ部５０を介して扉体２０と戸尻側縦枠材１１とを接続する。
【００３９】
（構成−枠体−戸尻側縦枠材及び戸先側縦枠材の構成の詳細）
次に、枠体１０の戸尻側縦枠材１１及び戸先側縦枠材１２の構成の詳細について説明する。ただし、戸尻側縦枠材１１及び戸先側縦枠材１２は、特記する場合を除いて、任意の形状、方法、及び材質で製造することができる。実施の形態１において、図３、図６、図７に示すように、戸尻側縦枠材１１及び戸先側縦枠材１２の各々は、縦枠材本体１５及び固定材１６を備えている。
【００４０】
縦枠材本体１５は、戸尻側縦枠材１１（又は戸先側縦枠材１２）の基本構造体である。この縦枠材本体１５は、Ｘ−Ｙ平面に沿った断面形状が左右方向の外側に向けて開放された略コ字状となるように形成された中空状体であり、開口部３の上下方向の略全長にわたって形成されている。また、縦枠材本体１５の具体的な構成については任意であるが、例えば、図６、図７に示すように、縦枠材本体１５における扉体２０に対応する部分を左右方向の外側に向けて凹ませることにより、扉体２０を収容しながら縦枠材本体１５と扉体２０との干渉を回避することが可能な空間が形成されている。なお、枠体１０の意匠性の観点から、戸尻側縦枠材１１の縦枠材本体１５及び戸先側縦枠材１２の縦枠材本体１５が相互に同一の形状及び大きさに形成されている。
【００４１】
固定材１６は、縦枠材本体１５を建物の躯体２に対して固定すると共に、縦枠材本体１５を補強するためのものである。この固定材１６は、板状体にて形成されており、具体的には、図６、図７に示すように、当該固定材１６の前後方向の長さが縦枠材本体１５のコ字状の開放端部における前後方向の長さと略同一（又はそれ以上の長さ）であり、当該固定材１６の上下方向の長さが縦枠材本体１５の上下方向の長さよりも短くなるように形成されている。また、この固定材１６は、縦枠材本体１５のコ字状の開放端部側（縦枠材本体１５の上下方向の外側の端部側）において、所定間隔を隔てて上下方向に沿って複数並設配置されており、縦枠材本体１５及び建物の躯体２に対して溶接等によって固定されている。
【００４２】
（構成−枠体−上側横枠材及びくつずり横枠材の構成の詳細）
図３に戻り、次に、枠体１０の上側横枠材１３及びくつずり横枠材１４の構成の詳細について説明する。ただし、上側横枠材１３及びくつずり横枠材１４は、特記する場合を除いて、任意の形状、方法、及び材質で製造することができる。実施の形態１において、図３、図８、図９に示すように、上側横枠材１３及びくつずり横枠材１４の各々は、横枠材本体１７及び固定材１８を備えている。
【００４３】
横枠材本体１７は、上側横枠材１３（又はくつずり横枠材１４）の基本構造体である。この横枠材本体１７は、Ｙ−Ｚ平面に沿った断面形状が上下方向の外側に向けて開放された略Ｕ字状となるように形成された中空状体であり、開口部３の左右方向の略全長にわたって形成されている。また、横枠材本体１７の具体的な構成については任意であるが、例えば、上側横枠材１３の横枠材本体１７については、図８に示すように、横枠材本体１７における扉体２０に対応する部分を上下方向の外側に向けて凹ませることにより、扉体２０を収容しながら横枠材本体１７と扉体２０との干渉を回避することが可能な空間が形成されている。また、くつずり横枠材１４の横枠材本体１７については、図３、図４、図９に示すように、上側横枠材１３の横枠材本体１７の凹部分に対応する位置に設けられている（つまり、くつずり横枠材１４の前後方向の長さが上側横枠材１３の前後方向の長さよりも小さくなるように、くつずり横枠材１４が形成されている）。
【００４４】
固定材１８は、横枠材本体１７を建物の躯体２に対して固定すると共に、横枠材本体１７を補強するためのものである。この固定材１８は、板状体にて形成されており、具体的には、図８、図９に示すように、当該固定材１８の前後方向の長さが横枠材本体１７のコ字状の開放端部における前後方向の長さと略同一（又はそれ以上の長さ）であり、当該固定材１８の左右方向の長さが横枠材本体１７の左右方向の長さよりも短くなるように形成されている。また、この固定材１８は、横枠材本体１７のコ字状の開放端部側（横枠材本体１７の上下方向の外側の端部側）において、所定間隔を隔てて左右方向に沿って複数並設配置されており、横枠材本体１７及び建物の躯体２に対して溶接等によって固定されている。
【００４５】
（構成−枠体の接続構造）
図３に戻り、次に、枠体１０の接続構造について説明する。この枠体１０は、接続部品６８（例えば、ネジやビス等の着脱自在な接続手段等）を用いて枠体１０の各種枠材同士を接続するための接続構造を備えており、この接続構造は、第１戸尻側接続構造、第１戸先側接続構造、第２戸尻側接続構造、及び第２戸先側接続構造を備えている。以下では、これら各種の接続構造について順次説明する。
【００４６】
（構成−枠体の接続構造−第１戸尻側接続構造）
まず、第１戸尻側接続構造について説明する。第１戸尻側接続構造は、戸尻側縦枠材１１と上側横枠材１３とを接続するための接続構造であり、図３、図４、図６、図８に示すように、第１上側接続片６１（第１接続片）と、第２上側接続片６２（第２接続片）と、第１上側切込部７１（第１切込部）と、第２上側切込部７２（第２切込部）とを備えている。
【００４７】
（構成−枠体の接続構造−第１戸尻側接続構造−第１上側接続片、第２上側接続片）
第１上側接続片６１及び第２上側接続片６２は、戸尻側縦枠材１１と上側横枠材１３とを接続するための接続片である。これら第１上側接続片６１及び第２上側接続片６２は、図３、図８、図１０、図１１に示すように、相互に異なる形状であり、且つそれぞれ別体に形成されており、上側横枠材１３の戸尻側の端部に設けられている。具体的には、図３、図８に示すように、第１上側接続片６１の略全体及び第２上側接続片６２の略全体（ただし、後述する位置決め部６５を除く）が上側横枠材１３の内部に収容されており、第１上側接続片６１は、上側横枠材１３の側部のうち見込み方向側の側部の一方（図３、図４、図８では、上側横枠材１３の上側側部１３ｆの前方部分１３ｃ）に設けられており、第２上側接続片６２は、上側横枠材１３の側部のうち見込み方向側の側部の他方（図３、図４、図８では、上側横枠材１３の上側側部１３ｆの後方部分１３ｄ）に設けられている（なお、実施の形態１では、これら前方部分１３ｃ及び後方部分１３ｄが略同一の高さとなるように、上側横枠材１３が形成されている）。また、これら第１上側接続片６１及び第２上側接続片６２の各々は、図８、図１０、図１１に示すように、接続片本体６３、固定部６４、位置決め部６５、及び連結部６６を備えている。
【００４８】
接続片本体６３は、第１上側接続片６１（又は第２上側接続片６２）の基本構造体である。この接続片本体６３は、略平坦状の板状体であり、図８、図１０、図１１に示すように、上側横枠材１３の上側側部１３ｆよりも下方側の位置において、前後方向及び左右方向に沿って設けられている。
【００４９】
固定部６４は、第１上側接続片６１（又は第２上側接続片６２）を上側横枠材１３に対して固定するためのものである。この固定部６４は、略平坦状の板状体であり、図８、図１０、図１１に示すように、接続片本体６３よりも前後方向の外側の位置において、上側横枠材１３の上側側部１３ｆと対向するように設けられている。また、固定部６４を上側横枠材１３に対して固定する方法については任意であるが、例えば、図８、図１０、図１１に示すように、まず、固定部６４及び上側横枠材１３の各々に形成された挿通孔６４ａ（以下、「固定用挿通孔６４ａ」と称する）を介して、固定部６４を上側横枠材１３に対して固定部品６７（例えば、ネジやビス等の着脱自在な固定手段等）により固定する。またさらに、固定部６４に形成されたダボ部６４ｂを、上側横枠材１３に形成された挿通孔１３ａ（以下、「ダボ用挿通孔１３ａ」と称する）を挿通する。このような固定により、第１上側接続片６１（又は第２上側接続片６２）が固定部品６７を中心軸として回転することを防止しながら、固定部６４を上側横枠材１３に対して固定することができる。
【００５０】
位置決め部６５は、当該位置決め部６５を第１上側切込部７１（又は第２上側切込部７２）に挿通させることにより、戸尻側縦枠材１１を上側横枠材１３に対して位置決めするためのものである。ここで、「位置決め部６５を挿通させる」とは、例えば、位置決め部６５と戸尻側縦枠材１１とが接触した状態で、位置決め部６５を第１上側切込部７１（又は第２上側切込部７２）に挿通させること、又は、位置決め部６５と戸尻側縦枠材１１とが接触しない状態で、位置決め部６５を第１上側切込部７１（又は第２上側切込部７２）に挿通させること等が該当する。この位置決め部６５は、略平坦状の板状体であり、図３、図８、図１０、図１１に示すように、枠体１０が組み立てられた状態（以下、「組立状態」と称する）において接続片本体６３から戸尻側縦枠材１１に向けて突出するように設けられている。
【００５１】
連結部６６は、接続部品６８を介して第１上側接続片６１（又は第２上側接続片６２）と戸尻側縦枠材１１とを連結するためのものである。この連結部６６は、略平坦状の板状体であり、図８、図１０、図１１に示すように、接続片本体６３から下方に向けて突出するように設けられていると共に、戸尻側縦枠材１１の側部のうち左右方向の内側の側部（図３では、戸尻側縦枠材１１の左側側部１１ｄ）と対向するように設けられている。また、連結部６６を戸尻側縦枠材１１に対して接続する方法については任意であるが、例えば、図８、図１０、図１１に示すように、連結部６６及び戸尻側縦枠材１１の各々に形成された挿通孔６６ａ（以下、「接続用挿通孔６６ａ」と称する）を介して、連結部６６を戸尻側縦枠材１１に対して接続部品６８により接続する。
【００５２】
また、この接続用挿通孔６６ａの設置方法については任意であるが、例えば、図３、図４、図６に示すように、組立状態において、接続用挿通孔６６ａが、上側横枠材１３の側部のうち、開口部３の中央側に位置する側部よりも開口部３の中央側とは反対側の位置（図３、図４、図６では、上側横枠材１３の下側側部１３ｂよりも上方側の位置）であり、且つ、当該側部の近傍に位置するように設けている。ここで、「開口部３の中央」とは、開口部３の左右方向の略中心位置であり、開口部３の前後方向の略中心位置であり、且つ開口部３の上下方向の略中心位置である位置を意味する。このような設置により、開口部３の中央側の側部から離れた位置に接続用挿通孔６６ａを配置した場合に比べて、組立状態において上側横枠材１３と戸尻側縦枠材１１との相互間に隙間が生じることを抑制でき、枠体１０の意匠性を一層維持できる。ただし、これに限られず、例えば、製造上の都合により、接続用挿通孔６６ａを開口部３の中央側に位置する側部の近傍に位置させることが難しい場合には、当該側部から離れた位置に設けてもよい。なお、上述した「上側横枠材１３の下側側部１３ｂ」は、特許請求の範囲における「中央側側部」に対応する。
【００５３】
このように構成された第１上側接続片６１及び第２上側接続片６２は任意の方法や材質で製造することができ、例えば、鋼製（一例として、スチール、ステンレス等）の板状体を折り曲げ成形することにより、接続片本体６３、固定部６４、位置決め部６５、及び連結部６６を一体に成形し、この折り曲げ成形の前後のいずれかの時点で、固定用挿通孔６４ａ及び接続用挿通孔６６ａを孔加工することで製造してもよい。
【００５４】
（構成−枠体の接続構造−第１戸尻側接続構造−第１上側切込部、第２上側切込部）
図３に戻り、第１上側切込部７１は、組立状態において第１上側接続片６１の位置決め部６５を挿通させるための切込部であり、第２上側切込部７２は、組立状態において第２上側接続片６２の位置決め部６５を挿通させるための切込部である。これら第１上側切込部７１及び第２上側切込部７２は、戸尻側縦枠材１１の一部を切り欠くことにより形成されている。具体的には、第１上側切込部７１については、戸尻側縦枠材１１における左右方向の内側の側部（図３、図４では、戸尻側縦枠材１１の左側側部１１ｄ）のうち、組立状態において第１上側接続片６１の位置決め部６５と対応する部分を切り欠くことにより形成されている。また、第２上側切込部７２については、戸尻側縦枠材１１における左右方向の内側の側部（図３、図４では、戸尻側縦枠材１１の左側側部１１ｄ）のうち、組立状態において第２上側接続片６２の位置決め部６５と対応する部分を切り欠くことにより形成されている。
【００５５】
また、第１上側切込部７１及び第２上側切込部７２の設置方法については、実施の形態１では、枠体１０が開口部３に設置された状態（以下、「設置状態」と称する）において、開口部３の中央側から見て戸尻側縦枠材１１又は上側横枠材１３によって第１上側切込部７１及び第２上側切込部７２が覆われる位置に設けている。具体的には、図３、図４に示すように、設置状態において戸尻側縦枠材１１に対して突き当てられる上側横枠材１３の側部のうち、開口部３の中央側に位置する側部よりも開口部３の中央側とは反対側の位置（図３、図４では、上側横枠材１３の下側側部１３ｂよりも上方側の位置）に設けており、より具体的には、戸尻側縦枠材１１の左側側部１１ｄの上端部１１ｃ及びその近傍部分に設けている（すなわち、第１上側切込部７１及び第２上側切込部７２がスリット状に形成されている）。この場合において、第１上側接続片６１及び第２上側接続片６２の各々の位置決め部６５の設置方法については、実施の形態１では、図３、図４に示すように、設置状態において戸尻側縦枠材１１に対して突き当てられる上側横枠材１３の側部のうち、開口部３の中央側に位置する側部よりも開口部３の中央側とは反対側の位置（図３、図４では、上側横枠材１３の下側側部１３ｂよりも上方側の位置）に設けており、具体的には、上側横枠材１３の上端部よりも若干下方側の位置（又は同一の位置）に設けている。このような設置により、従来技術（枠体１０が設置された状態において、上側横枠に形成されたスリットを外部に露出するように設けた技術）とは異なり、設置状態において第１上側切込部７１及び第２上側切込部７２が外部に露出することを回避できるので、枠体１０の意匠性を維持することが可能となる。
【００５６】
また、第１上側切込部７１及び第２上側切込部７２の形成方法については任意であるが、例えば、図３、図４、図６に示すように、第１上側切込部７１及び第２上側切込部７２を一体に形成している。この場合において、第１上側切込部７１及び第２上側切込部７２の具体的な形状及び大きさについては任意であるが、例えば、枠体１０が組み立てられる際に、第１上側切込部７１及び第２上側切込部７２の各々の位置決め部６５が第１上側切込部７１（又は第２上側切込部７２）に挿通された状態で、これら位置決め部６５の一部（一例として、位置決め部６５の前後方向の外側の端部、又は位置決め部６５の下端部）が戸尻側縦枠材１１と接触するような形状及び大きさに形成されてもよく、あるいは、これら位置決め部６５が戸尻側縦枠材１１と許容範囲内の微小な隙間を介して接触しないような形状及び大きさに形成されてもよい。このような構成により、第１上側切込部７１及び第２上側切込部７２の加工を効率的に行うことができ、戸尻側縦枠材１１の製造性を向上させることが可能となる。ただし、これに限られず、例えば、第１上側接続片６１と第２上側接続片６２との相互間の距離が比較的長い場合には、第１上側切込部７１及び第２上側切込部７２をそれぞれ別体に形成してもよい。
【００５７】
以上のような第１戸尻側接続構造により、枠体１０の意匠性を維持しながら、戸尻側縦枠材１１と上側横枠材１３とを接続することができる。
【００５８】
（構成−枠体の接続構造−第１戸先側接続構造）
図３に戻り、次に、第１戸先側接続構造について説明する。第１戸先側接続構造は、戸先側縦枠材１２と上側横枠材１３とを接続するための接続構造であり、図３、図７、図８に示すように、上側横枠材１３の戸先側の端部に設けられた第１上側接続片６１及び第２上側接続片６２と、戸先側縦枠材１２に形成された第１上側切込部７１及び第２上側切込部７２とを備えている。なお、この第１戸先側接続構造は、第１戸尻側接続構造と略同一に構成されているので、その詳細な説明を省略する。なお、実施の形態１においては、第１戸先側接続構造の第１上側接続片６１の形状及び大きさは、第１戸尻側接続構造の第２上側接続片６２の形状及び大きさと略同一に設定されているが、これに限られず、例えば、第１戸尻側接続構造の第２上側接続片６２の形状及び大きさと異なるように設定されてもよい。また、第１戸先側接続構造の第２上側接続片６２の形状及び大きさは、第１戸尻側接続構造の第１上側接続片６１の形状及び大きさと略同一に設定されているが、これに限られず、例えば、第１戸尻側接続構造の第１上側接続片６１の形状及び大きさと異なるように設定されてもよい。
【００５９】
（構成−枠体の接続構造−第２戸尻側接続構造）
図３に戻り、次いで、第２戸尻側接続構造について説明する。第２戸尻側接続構造は、戸尻側縦枠材１１とくつずり横枠材１４とを接続するための接続構造であり、図３、図５、図６、図９に示すように、下側接続片８０と、下側切込部９０とを備えている。
【００６０】
（構成−枠体の接続構造−第２戸尻側接続構造−下側接続片）
下側接続片８０は、戸尻側縦枠材１１とくつずり横枠材１４とを接続するための接続片である。この下側接続片８０は、くつずり横枠材１４の戸尻側の端部に設けられており、具体的には、図３、図９に示すように、下側接続片８０の略全体（ただし、後述する位置決め部８６を除く）がくつずり横枠材１４の内部に収容されるように設けられている。また、この下側接続片８０は、中空状に形成されており、図９、図１２に示すように、第１側部８１、第２側部８２、第３側部８３、第４側部８４、及び第５側部８５を備えている。
【００６１】
第１側部８１は、くつずり横枠材１４の内部に充填される充填材料（例えば、公知の建築用の充填材料（一例としてモルタル等））が下側接続片８０の内部に流入することを抑制するためのものであり、図９、図１２に示すように、第５側部８５における左右方向の内側の端部（図９、図１２では、第５側部８５の左端部）から上方に向けて張り出すように設けられている。また、第１側部８１の具体的な形状及び大きさについては任意であるが、くつずり横枠材１４の内部において、下側接続片８０よりも左右方向の内側に設けられた空間９２（以下、「充填空間９２」と称する）に充填される充填材料が流入しないように設定されており、例えば、図９に示すように、くつずり横枠材１４のＹ−Ｚ断面形状と略同一の形状及び大きさに設定されている。
【００６２】
第２側部８２は、接続部品６８を介して下側接続片８０と戸尻側縦枠材１１とを連結するためのものであり（すなわち、下側接続片８０の連結部６６として機能するものである）、図９、図１２に示すように、第５側部８５における左右方向の外側の端部（図９、図１２では、第５側部８５の右端部）から上方に向けて張り出すように設けられていると共に、戸尻側縦枠材１１の側部のうち左右方向の内側の側部（図３では、戸尻側縦枠材１１の左側側部１１ｄ）と対向するように設けられており（すなわち、第１側部８１とは異なる位置に設けている）。また、第２側部８２を戸尻側縦枠材１１に対して接続する方法については任意であるが、例えば、図９に示すように、第２側部８２及び戸尻側縦枠材１１の各々に形成された図６、図１２の接続用挿通孔８２ａを介して、第２側部８２を戸尻側縦枠材１１に対して接続部品６８により接続する。
【００６３】
また、図３、図５、図９、図１２に示すように、この第２側部８２の下端部には、位置決め部８６が設けられている。位置決め部８６は、当該位置決め部８６を下側切込部９０に挿通させることにより、戸尻側縦枠材１１をくつずり横枠材１４に対して位置決めするためのものであり、図３、図５、図９、図１２に示すように、組立状態において第２側部８２から戸尻側縦枠材１１に向けて突出するように設けられている。
【００６４】
第３側部８３は、下側接続片８０をくつずり横枠材１４に対して固定するためのものであり（すなわち、下側接続片８０の固定部６４として機能するものである）、図９、図１２に示すように、第５側部８５における建物の屋外側の端部（図９、図１２では、第５側部８５の前端部）から上方に向けて張り出すように設けられていると共に、くつずり横枠材１４の側部のうち建物の屋外側の側部（図９では、くつずり横枠材１４の前側側部１４ｂ）と対向するように設けられている。また、第３側部８３をくつずり横枠材１４に対して固定する方法については任意であるが、例えば、図９に示すように、第３側部８３及びくつずり横枠材１４の各々に形成された図１２の複数の固定用挿通孔８３ａを介して、第３側部８３をくつずり横枠材１４に対して固定部品６７により固定する。
【００６５】
第４側部８４は、下側接続片８０をくつずり横枠材１４に対して固定するためのものであり（すなわち、下側接続片８０の固定部６４として機能するものである）、図９、図１２に示すように、第５側部８５における建物の屋内側の端部（図９、図１２では、第５側部８５の後端部）から上方に向けて張り出すように設けられていると共に、くつずり横枠材１４の側部のうち建物の屋内側の側部（図９では、くつずり横枠材１４の後側側部１４ｃ）と対向するように設けられている。また、第４側部８４をくつずり横枠材１４に対して固定する方法については任意であるが、例えば、図９に示すように、第４側部８４及びくつずり横枠材１４の各々に形成された複数の固定用挿通孔（図示省略）を介して、第４側部８４をくつずり横枠材１４に対して固定部品６７により固定する。
【００６６】
第５側部８５は、第１側部８１から第４側部８４を連結するためのものであると共に、くつずり横枠材１４の内部に充填される充填材料が下側接続片８０の内部に流入することを抑制するためのものである。図９、図１２に示すように、くつずり横枠材１４の側部のうち開口部３の中央側の側部（図９では、くつずり横枠材１４の上側側部１４ａ）と対向するように略水平に設けられている。
【００６７】
このように構成された下側接続片８０は任意の方法や材質で製造することができ、例えば、まず、鋼製（一例として、スチール、ステンレス等）の板状体を折り曲げ成形することにより第１側部８１及び第５側部８５を一体に成形すると共に、鋼製（一例として、スチール、ステンレス等）の板状体を折り曲げ成形することにより第２側部８２、第３側部８３、第４側部８４、及び位置決め部８６を一体に成形する。そして、これら折り曲げ成形の前後のいずれかの時点で、第２側部８２を含む板状体を、第１側部８１を含む板状体に対して溶接等により接続すると共に、複数の固定用挿通孔８３ａ及び接続用挿通孔８２ａを孔加工することで製造してもよい。なお、上述した「第１側部８１」、「第５側部８５」は、特許請求の範囲における「第１側部」に対応する。また、上述した「第２側部８２」は、特許請求の範囲における「第２側部」に対応する。
【００６８】
（構成−枠体の接続構造−第２戸尻側接続構造−下側切込部）
図３に戻り、下側切込部９０は、組立状態において下側接続片８０の位置決め部８６を挿通させるための切込部である。この下側切込部９０は、戸尻側縦枠材１１の一部を切り欠くことにより形成されており、具体的には、戸尻側縦枠材１１における左右方向の内側の側部（図３、図５では、戸尻側縦枠材１１の左側側部１１ｄ）のうち、組立状態において下側接続片８０の位置決め部８６と対応する部分を切り欠くことにより形成されている。
【００６９】
また、下側切込部９０の設置方法については、実施の形態１では、設置状態において、開口部３の中央側から見て戸尻側縦枠材１１又はくつずり横枠材１４によって下側切込部９０が覆われる位置に設けている。具体的には、図３、図５に示すように、設置状態において戸尻側縦枠材１１に対して突き当てられるくつずり横枠材１４の側部のうち、開口部３の中央側に位置する側部よりも開口部３の中央側とは反対側の位置（図３、図５では、くつずり横枠材１４の上側側部１４ａよりも下方側の位置）に設けており、より具体的には、戸尻側縦枠材１１の左側側部１１ｄの下端部１１ｇ及びその近傍部分に設けている（すなわち、下側切込部９０がスリット状に形成されている）。この場合において、下側接続片８０の位置決め部８６の設置方法については、実施の形態１では、図３、図５に示すように、設置状態において戸尻側縦枠材１１に対して突き当てられるくつずり横枠材１４の側部のうち、開口部３の中央側に位置する側部よりも開口部３の中央側とは反対側の位置（図３、図５では、くつずり横枠材１４の上側側部１４ａよりも下方側の位置）に設けており、具体的には、くつずり横枠材１４の下端部よりも若干上方側の位置に設けている。このような設置により、設置状態において下側切込部９０が外部に露出することを回避できるので、枠体１０の意匠性を維持することが可能となる。なお、上述した「くつずり横枠材１４の上側側部１４ａ」は、特許請求の範囲における「中央側側部」に対応する。
【００７０】
以上のような第２戸尻側接続構造により、枠体１０の意匠性を維持しながら、戸尻側縦枠材１１とくつずり横枠材１４とを接続することができる。特に、中空状の下側接続片８０が、くつずり横枠材１４の内部に充填される充填材料が下側接続片８０の内部に流入することを抑制するための第１側部８１と、第１側部８１とは異なる位置に設けられた第２側部８２であり、連結部６６として機能する第２側部８２と、を備えているので、くつずり横枠材１４の内部に充填材料が充填されている場合に、下側接続片８０の内部に充填材料が流入することを回避しながら、接続部品６８を用いて第２側部８２と戸尻側縦枠材１１とを確実に連結することができ、枠体１０の設置性を維持できる。
【００７１】
（構成−枠体の接続構造−第２戸先側接続構造）
図３に戻り、次に、第２戸先側接続構造について説明する。第２戸先側接続構造は、戸先側縦枠材１２とくつずり横枠材１４とを接続するための接続構造であり、図３、図７、図９に示すように、くつずり横枠材１４の戸先側の端部に設けられた下側接続片８０と、戸先側縦枠材１２に形成された下側切込部９０とを備えている。なお、この第２戸先側接続構造は、第２戸尻側接続構造と略同一に構成されているので、その詳細な説明を省略する。
【００７２】
（設置方法）
続いて、このように構成された扉装置１の設置方法について説明する。
【００７３】
まず、工場等において、扉体２０を公知の方法で製造する。また、第１上側接続片６１及び第２上側接続片６２を上側横枠材１３に対して固定部品６７によって固定すると共に、下側接続片８０をくつずり横枠材１４に対して固定部品６７によって固定する。また、第１上側切込部７１、第２上側切込部７２、及び下側切込部９０を戸尻側縦枠材１１及び戸先側縦枠材１２の各々に形成する。
【００７４】
次に、扉装置１が設置される現場において、接続部品６８を用いて、戸尻側縦枠材１１、戸先側縦枠材１２、上側横枠材１３、及びくつずり横枠材１４を組み合わせることにより、枠体１０を組み立てる。この場合において、上側横枠材１３に固定された第１上側接続片６１及び第２上側接続片６２の各々の位置決め部６５を戸尻側縦枠材１１（又は戸先側縦枠材１２）の第１上側切込部７１又は第２上側切込部７２に挿入した後に、接続部品６８を用いて第１上側接続片６１及び第２上側接続片６２の各々の連結部６６と戸尻側縦枠材１１とを接続する。これにより、戸尻側縦枠材１１（又は戸先側縦枠材１２）を上側横枠材１３に対する位置決めを簡易且つ正確に行うことができ、戸尻側縦枠材１１（又は戸先側縦枠材１２）と上側横枠材１３との接続作業を効率的に行うことができる（なお、戸尻側縦枠材１１（又は戸先側縦枠材１２）とくつずり横枠材１４との接続作業についても同様とする）。次いで、組み立てられた枠体１０を開口部３に配置した後、枠体１０（具体的には、枠体１０の固定材１６、１８）を建物の躯体２に対して溶接等により固定する。続いて、扉体２０を、ヒンジ部５０を介して枠体１０（具体的には、枠体１０の戸尻側縦枠材１１）に対して接続する。これにて、扉装置１の設置が終了する。このような設置方法により、扉装置１が設置される現場で枠体１０を組み立てる場合において、当該現場で行う作業を簡易且つ効率良く行うことができる。
【００７５】
（構成−その他の構成）
また、この他にも、枠体１０の各種接続構造は、できる限りにおいて任意の構造にて構成可能である。
【００７６】
具体的には、実施の形態１では、第１上側接続片６１及び第２上側接続片６２がそれぞれ別体に形成されていると説明したが、これに限られない。例えば、図１３に示すように、第１上側接続片６１及び第２上側接続片６２が一体に形成されてもよい。このような構成により、第１上側接続片６１及び第２上側接続片６２を別体に形成した場合に比べて、第１上側接続片６１及び第２上側接続片６２を上側横枠材１３に対して固定する作業を簡易且つ迅速に行うことができる。
【００７７】
また、実施の形態１では、第１上側接続片６１及び第２上側接続片６２が相互に異なる形状で形成されていると説明したが、これに限られない。例えば、第１上側接続片６１及び第２上側接続片６２が、相互に同一の形状に形成されてもよい。一例として、図１４、図１５に示すように、図１０の第１上側接続片６１と、図１０の第１上側接続片６１の後端部を対象軸として第１上側接続片６１の線対称となる形状を有する接続片とが一体に形成されたもの（より具体的には、図１４の接続片は、一対の連結部６６が一体に形成されたものであり、図１５の接続片は、一対の連結部６６が別体に形成されたものである）が、第１上側接続片６１、第２上側接続片６２として形成されてもよい。このような構成により、第１上側接続片６１及び第２上側接続片６２の形状の統一化を図ることができ、第１上側接続片６１及び第２上側接続片６２の製造性を向上させることが可能となる。
【００７８】
また、実施の形態１では、図３に示すように、上側横枠材１３の上側側部１３ｆの前方部分１３ｃが上側横枠材１３の上側側部１３ｆの後方部分１３ｄと略同一の高さとなるように、上側横枠材１３が形成されていると説明したが、これに限られない。例えば、図１６に示すように、上側横枠材１３の上側側部１３ｆの前方部分１３ｃが上側横枠材１３の上側側部１３ｆの後方部分１３ｄと異なる高さとなるように、上側横枠材１３が形成されてもよい。この場合には、図１３に示すような第１上側接続片６１及び第２上側接続片６２を一体に形成したものを採用することが難しいことから、図１６に示すように、第１上側接続片６１及び第２上側接続片６２をそれぞれ別体に形成したものが採用される。
【００７９】
また、実施の形態１では、図３、図４、図９に示すように、くつずり横枠材１４の前後方向の長さが上側横枠材１３の前後方向の長さよりも小さくなるように、くつずり横枠材１４が形成されていると説明したが、これに限られない。例えば、図１７に示すように、くつずり横枠材１４の前後方向の長さが上側横枠材１３の前後方向の長さと略同一となるように、くつずり横枠材１４が形成されてもよい。この場合において、下側接続片８０の形状については、例えば、図１２の下側接続片８０とは異なる形状にて形成されてもよく、一例として、図１８に示すように、Ｘ−Ｙ平面に沿った断面形状が略Ｚ字状に形成された第２側部８２を有する中空状体にて形成されてもよい。
【００８０】
（実施の形態１の効果）
このように実施の形態１によれば、設置状態において、開口部３の中央側から見て戸尻側縦枠材１１、戸先側縦枠材１２、上側横枠材１３、又はくつずり横枠材１４によって、第１上側切込部７１、第２上側切込部７２、及び下側切込部９０が覆われる位置に、第１上側切込部７１、第２上側切込部７２、及び下側切込部９０を設けたので、従来技術（枠体１０が設置された状態において、上側横枠に形成されたスリットを外部に露出するように設けた技術）とは異なり、設置状態において第１上側切込部７１、第２上側切込部７２、及び下側切込部９０が外部に露出することを回避でき、枠体１０の意匠性を維持することが可能となる。
【００８１】
また、設置状態において戸尻側縦枠材１１又は戸先側縦枠材１２に対して突き当てられる上側横枠材１３又はくつずり横枠材１４の側部のうち、開口部３の中央側に位置する中央側側部よりも開口部３の中央側とは反対側の位置に、第１上側切込部７１、第２上側切込部７２、及び下側切込部９０、並びに位置決め部６５、８６を設けたので、設置状態において第１上側切込部７１、第２上側切込部７２、及び下側切込部９０が外部に露出することを一層回避でき、枠体１０の意匠性を一層維持できる。
【００８２】
また、接続片として、上側横枠材１３の側部のうち見込み方向側の側部の一方に固定された第１上側接続片６１と、上側横枠材１３の側部のうち見込み方向側の側部の他方に固定された接続片であり、第１上側接続片６１とは別体に形成された接続片である第２上側接続片６２と、を設けたので、第１上側接続片６１及び第２上側接続片６２を一体に形成した場合に比べて、上側横枠材１３の形状又は大きさが異なる様々な枠体１０に対して接続でき、第１上側接続片６１及び第２上側接続片６２の設置性を向上させることが可能となる。
【００８３】
また、第１上側切込部７１及び第２上側切込部７２を一体に形成したので、第１上側切込部７１及び第２上側切込部７２の加工を効率的に行うことができ、戸尻側縦枠材１１又は戸先側縦枠材１２の製造性を向上させることが可能となる。
【００８４】
また、組立状態において、接続用挿通孔６６ａが、上側横枠材１３の中央側側部よりも開口部３の中央側とは反対側の位置であり、且つ、当該中央側側部の近傍に位置するように、当該接続用挿通孔６６ａを配置したので、開口部３の中央側の側部から離れた位置に接続用挿通孔６６ａを配置した場合に比べて、組立状態において上側横枠材１３と戸尻側縦枠材１１（又は戸先側縦枠材１２）との相互間に隙間が生じることを抑制でき、枠体１０の意匠性をさらに一層維持できる。
【００８５】
また、中空状の下側接続片８０が、くつずり横枠材１４の内部に充填される充填材料が下側接続片８０の内部に流入することを抑制するための第１側部８１と、第１側部８１とは異なる位置に設けられた第２側部８２であり、連結部６６として機能する第２側部８２と、を備えたので、くつずり横枠材１４の内部に充填材料が充填されている場合に、下側接続片８０の内部に充填材料が流入することを回避しながら、接続部品６８を用いて第２側部８２と戸尻側縦枠材１１とを確実に連結することができ、枠体１０の設置性を維持できる。
【００８６】
〔実施の形態２〕
次に、実施の形態２に係る扉装置の枠体について説明する。この実施の形態２は、扉体がヒンジ部を介して枠体の上側横枠材に対して固定された形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００８７】
（構成）
最初に、実施の形態２に係る枠体を備える扉装置の構成について説明する。実施の形態２に係る扉装置については、実施の形態１に係る扉装置１とほぼ同様に構成されている。ただし、ヒンジ部５０の構成の詳細については、下記に示す工夫が施されている。
【００８８】
（構成−ヒンジ部の構成の詳細）
次いで、ヒンジ部５０の構成の詳細について説明する。実施の形態２において、ヒンジ部５０は、扉体２０を上側横枠材１３及び戸尻側縦枠材１１に対して回動自在に軸支するためのものである。図１９、図２０に示すように、例えばピボットヒンジ等を用いて構成されており、扉体２０の戸尻側における上方及び下方の各々に設けられている。ここで、上方側に位置するヒンジ部５０を介して扉体２０を上側横枠材１３に対して固定する方法については任意であるが、例えば、ヒンジ部５０の扉体側取付片（図示省略）を固定具等によって接続すると共に、ヒンジ部５０の枠体側取付片（図示省略）を図１８の第２ライナ１３ｅを介して上側横枠材１３に対して固定具等によって接続する。また、下方側に位置するヒンジ部５０を介して扉体２０を上側横枠材１３に対して固定する方法については任意であるが、例えば、ヒンジ部５０の扉体側取付片（図示省略）を固定具等によって接続すると共に、ヒンジ部５０の枠体側取付片（図示省略）を図１９の第３ライナ１１ｅを介して戸尻側縦枠材１１に対して固定具等によって接続する。
【００８９】
また、この場合において、第１上側接続片６１及び第２上側接続片６２を上側横枠材１３に対して固定するための固定部品６７の設置方法については任意であるが、実施の形態２においては、第１上側接続片６１、第２上側接続片６２、及び上側横枠材１３の各々の固定用挿通孔６４ａに挿通される固定部品６７を、図２０に示すヒンジ部５０が設置される領域５３以外に配置しており、具体的には、図２０に示すように、ヒンジ部５０が設置される領域５３よりも若干戸尻側の位置に配置している。このような設置により、ヒンジ部５０を上側横枠材１３に対して取り付けた場合でも、固定部品６７によって扉体２０の回動が阻害されることを回避できるので、扉装置の使用性を確保できる。
【００９０】
（実施の形態２の効果）
このように実施の形態２によれば、固定用挿通孔６４ａに挿通される固定部品６７を、ヒンジ部５０が設置される領域５３以外に配置したので、ヒンジ部５０を上側横枠材１３に対して取り付けた場合でも、固定部品６７によって扉体２０の回動が阻害されることを回避でき、扉装置の使用性を確保できる。
【００９１】
〔実施の形態３〕
次に、実施の形態３に係る扉装置の枠体について説明する。この実施の形態３は、枠体が後述する捨て横枠材を備える形態である。ただし、この実施の形態３の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００９２】
（構成）
最初に、実施の形態３に係る枠体を備える扉装置の構成について説明する。実施の形態３に係る扉装置については、実施の形態１に係る扉装置１とほぼ同様に構成されている。ただし、枠体の構成の詳細、及び枠体の接続構造の構成の詳細については、下記に示す工夫が施されている。
【００９３】
（構成−枠体の構成の詳細）
次に、枠体１０の構成の詳細について説明する。実施の形態３においては、枠体１０は、図２１に示すように、戸尻側縦枠材１１、戸先側縦枠材１２、上側横枠材１３、及び捨て横枠材１９を備えている。このうち、捨て横枠材１９は、当該枠体１０を組み立てる際にのみ用いられる横枠材であり、図２１に示すように、開口部３の下方側に設けられている。また、図２１、図２２に示すように、この捨て横枠材１９は、Ｙ−Ｚ平面に沿った断面形状が建物の屋外側に向けて開放された略コ字状となるように形成された板状体であり、開口部３の左右方向の略全長にわたって形成されている。
【００９４】
また、この捨て横枠材１９を戸尻側縦枠材１１及び戸先側縦枠材１２の各々に対して固定する方法については任意であるが、実施の形態３では、図２１に示すように、捨て横枠材１９、戸尻側縦枠材１１、及び戸先側縦枠材１２に形成された図２２の挿通孔１９ａ（以下、「取付用挿通孔１９ａ」と称する）を介して、捨て横枠材１９を戸尻側縦枠材１１又は戸先側縦枠材１２に対して取付部品９１（例えば、ネジやビス等の着脱自在な取付手段等）により固定する。また、戸尻側縦枠材１１及び戸先側縦枠材１２の各々の取付用挿通孔１９ａの設置方法については任意であるが、実施の形態３では、設置状態において建物の床面よりも下方側に位置するように配置しており、具体的には、図２１に示すように、戸尻側縦枠材１１及び戸先側縦枠材１２の各々の下端部の近傍位置に配置している。このような設置により、設置状態において戸尻側縦枠材１１及び戸先側縦枠材１２の各々の取付用挿通孔１９ａが外部に露出することを回避できるので、枠体１０の意匠性を一層維持できる。なお、上述した「捨て横枠材１９」は、特許請求の範囲における「第１枠材」に対応する。
【００９５】
このように構成された捨て横枠材１９は任意の方法や材質で製造することができ、例えば、鋼製（一例として、スチール、ステンレス等）の板状体を折り曲げ成形し、この折り曲げ成形の前後のいずれかの時点で、取付用挿通孔１９ａを孔加工することで製造してもよい。
【００９６】
（構成−枠体の接続構造の構成の詳細）
次いで、枠体１０の接続構造の構成の詳細について説明する。実施の形態３においては、上述したように、枠体１０がくつずり横枠材１４に代えて捨て横枠材１９を備えていることから、枠体１０の接続構造は、第１戸尻側接続構造及び第１戸先側接続構造のみを備えている。なお、これら第１戸尻側接続構造及び第１戸先側接続構造は、実施の形態１の第１戸尻側接続構造及び第１戸先側接続構造と略同一に構成されているので、その詳細な説明を省略する。
【００９７】
（設置方法）
続いて、このように構成された扉装置の設置方法について説明する。
【００９８】
まず、工場等において、扉体２０を公知の方法で製造する。また、第１上側接続片６１及び第２上側接続片６２を上側横枠材１３に対して固定部品６７によって固定する。また、第１上側切込部７１及び第２上側切込部７２を戸尻側縦枠材１１及び戸先側縦枠材１２の各々に形成すると共に、取付用挿通孔１９ａを捨て横枠材１９に形成する。
【００９９】
次に、扉装置が設置される現場において、接続部品６８及び取付部品９１を用いて、戸尻側縦枠材１１、戸先側縦枠材１２、上側横枠材１３、及び捨て横枠材１９を組み合わせることにより、枠体１０を組み立てる。次いで、組み立てられた枠体１０を開口部３に配置して、枠体１０（具体的には、枠体１０の固定材１６、１８）を建物の躯体２に対して溶接等により固定した後、捨て横枠材１９を取り外す。続いて、扉体２０を、ヒンジ部５０を介して枠体１０（具体的には、枠体１０の戸尻側縦枠材１１）に対して接続する。これにて、扉装置の設置が終了する。このような設置方法により、枠体１０が捨て横枠材１９を備える場合において、枠体１０を簡易且つ効率良く設置することができる。
【０１００】
（実施の形態３の効果）
このように実施の形態３によれば、戸尻側縦枠材１１及び戸先側縦枠材１２の各々の取付用挿通孔１９ａを、設置状態において建物の床面よりも下方側に位置するように配置したので、設置状態において戸尻側縦枠材１１及び戸先側縦枠材１２の各々の取付用挿通孔１９ａが外部に露出することを回避でき、枠体１０の意匠性をさらに一層維持できる。
【０１０１】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【０１０２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１０３】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１０４】
（枠体について）
上記実施の形態１、２では、枠体１０の戸尻側縦枠材１１及び戸先側縦枠材１２の各々が縦枠材本体１５及び固定材１６を備えていると共に、枠体１０の上側横枠材１３及びくつずり横枠材１４の各々が横枠材本体１７及び固定材１８を備えていると説明したが、これに限られない。例えば、戸尻側縦枠材１１、戸先側縦枠材１２、上側横枠材１３、及びくつずり横枠材１４の各々は、縦枠材本体１５（又は横枠材本体１７）及び固定材１６（又は固定材１８）に加えて、全閉状態において、扉体２０に密接することにより、戸尻側縦枠材１１（あるいは、戸先側縦枠材１２、上側横枠材１３、又はくつずり横枠材１４）と扉体２０との相互間の気密性を高めるための気密部を備えてもよい。この場合において、戸尻側縦枠材１１、戸先側縦枠材１２、上側横枠材１３、及びくつずり横枠材１４の具体的な構成については任意であるが、例えば、図２３に示すように、戸尻側縦枠材１１、戸先側縦枠材１２、上側横枠材１３、及びくつずり横枠材１４の各々に、気密部の一部を収容するための凹部を設けてもよい。この凹部の形成方法については任意であるが、例えば、戸尻側縦枠材１１、戸先側縦枠材１２、上側横枠材１３、及びくつずり横枠材１４の各々における扉体２０における建物の屋内側の側部と対応する部分を建物の屋内側に向けて凹ませることにより形成する。
【０１０５】
（接続構造について）
上記実施の形態１から３では、第１戸尻側接続構造において、第１上側接続片６１及び第２上側接続片６２が上側横枠材１３に設けられ、第１上側切込部７１及び第２上側切込部７２が戸尻側縦枠材１１に形成されていると説明したが、これに限られない。例えば、第１上側接続片６１及び第２上側接続片６２が戸尻側縦枠材１１に設けられ、第１上側切込部７１及び第２上側切込部７２が上側横枠材１３に形成されてもよい（なお、第１戸先側接続構造、第２戸尻側接続構造、及び第２戸先側接続構造についても同様とする）。
【０１０６】
また、上記実施の形態１から３では、第１戸尻側接続構造が、２つの接続片（第１上側接続片６１及び第２上側接続片６２）を備えていると説明したが、これに限られない。例えば、１つの接続片のみを備えてもよく、あるいは、３つ以上の接続片を備えてもよい（なお、第１戸先側接続構造、第２戸尻側接続構造、第２戸先側接続構造についても同様とする）。
【０１０７】
（接続片について）
上記実施の形態１から３では、各種の接続片が、上側横枠材１３又はくつずり横枠材１４と別体に形成されていると説明したが、これに限られず、例えば、上側横枠材１３又はくつずり横枠材１４と一体に形成されてもよい。この場合には、各種の接続片は、固定部６４（又は第３側部８３及び第４側部８４）を省略できる。
【０１０８】
上記実施の形態１から３では、第１上側接続片６１及び第２上側接続片６２が、固定部品６７を用いて固定されていると説明したが、これに限られず、例えば、溶接によって固定されてもよい（なお、下側接続片８０についても同様とする）。
【０１０９】
上記実施の形態１、２は、下側接続片８０の位置決め部８６が、第２側部８２に設けられていると説明したが、これに限られず、例えば、第５側部８５に設けられてもよい。
【０１１０】
（切込部について）
上記実施の形態１から３では、各種の切込部が、戸尻側縦枠材１１（又は戸先側縦枠材１２）の端部及びその近傍部分を切り欠くことにより形成されている（すなわち、スリット状に形成されている）と説明したが、これに限られない。例えば、戸尻側縦枠材１１（又は戸先側縦枠材１２）の端部以外の部分を切り欠くことにより形成されてもよい（すなわち、貫通孔状に形成されている）。
【０１１１】
（付記）
付記１の扉装置の枠体は、建物の開口部に設けられた扉装置を構成する枠体であり、接続部品を用いて複数の枠材を組み合わせることにより形成された枠体であって、前記複数の枠材は、第１枠材と、前記第１枠材に対して略直交するように設けられた第２枠材と、を含み、前記第１枠材又は前記第２枠材のいずれか一方に設けられた接続片であり、前記第１枠材と前記第２枠材とを接続するための接続片と、前記第１枠材又は前記第２枠材のいずれか他方に形成された切込部と、を備え、前記接続片は、当該枠体が組み立てられた組立状態において前記第１枠材又は前記第２枠材のいずれか他方に向けて突出するように設けられた位置決め部であり、当該位置決め部を前記切込部に挿通させることにより、前記第１枠材又は前記第２枠材のいずれか他方を前記第１枠材又は前記第２枠材のいずれか一方に対して位置決めをするための位置決め部と、前記接続部品を介して前記接続片と前記第１枠材又は前記第２枠材のいずれか他方とを連結するための連結部と、を備え、当該枠体が前記開口部に設置された設置状態において、前記開口部の中央側から見て前記第１枠材又は前記第２枠材によって前記切込部が覆われる位置に、当該切込部を設けた。
【０１１２】
付記２の扉装置の枠体は、付記１に記載の扉装置の枠体において、前記設置状態において前記第１枠材又は前記第２枠材のいずれか他方に対して突き当てられる前記第１枠材又は前記第２枠材のいずれか一方の側部のうち、前記開口部の中央側に位置する中央側側部よりも前記開口部の中央側とは反対側の位置に、前記切込部及び前記位置決め部を設けた。
【０１１３】
付記３の扉装置の枠体は、付記１又は２に記載の扉装置の枠体において、前記接続片として、前記第１枠材又は前記第２枠材のいずれか一方の側部のうち見込み方向側の側部の一方に固定された接続片である第１接続片と、前記第１枠材又は前記第２枠材のいずれか一方の側部のうち見込み方向側の側部の他方に固定された接続片であり、前記第１接続片とは別体に形成された接続片である第２接続片と、を設けた。
【０１１４】
付記４の扉装置の枠体は、付記３に記載の扉装置の枠体において、前記切込部として、前記第１枠材又は前記第２枠材のいずれか他方の部分のうち、前記組立状態において前記第１接続片の前記位置決め部と対応する部分に形成された第１切込部であり、当該位置決め部を挿通させることが可能な第１切込部と、前記第１枠材又は前記第２枠材のいずれか他方の部分のうち、前記組立状態において前記第２接続片の前記位置決め部と対応する部分に形成された第２切込部であり、当該位置決め部を挿通させることが可能な第２切込部と、を設け、前記第１切込部及び前記第２切込部を一体に形成した。
【０１１５】
付記５の扉装置の枠体は、付記３又は４に記載の扉装置の枠体において、前記第１接続片及び前記第２接続片を、相互に同一の形状に形成した。
【０１１６】
付記６の扉装置の枠体は、付記１から５のいずれか一項に記載の扉装置の枠体において、前記第１枠材又は前記第２枠材のいずれか他方及び前記連結部の各々に、前記接続部品を挿通する接続用挿通孔を形成し、前記組立状態において、前記接続用挿通孔が、前記第１枠材又は前記第２枠材のいずれか一方の前記中央側側部よりも前記開口部の中央側とは反対側の位置であり、且つ、当該中央側側部の近傍に位置するように、当該接続用挿通孔を配置した。
【０１１７】
付記７の扉装置の枠体は、付記１から６のいずれか一項に記載の扉装置の枠体において、前記建物の壁に設けられた前記扉装置を構成する当該枠体であって、前記第１枠材は、前記開口部の上方側に位置する横枠材である上側横枠材を含み、前記第２枠材は、前記開口部の戸尻側に位置する縦枠材である戸尻側縦枠材を含み、前記上側横枠材における戸尻側の端部に、前記上側横枠材と前記戸尻側縦枠材とを接続するための前記接続片を設け、前記上側横枠材に対して取り付けられたヒンジ部であって、当該ヒンジ部を介して前記扉装置を構成する扉体を回動自在に軸支するためのヒンジ部を備え、前記接続片は、当該接続片を前記第１枠材又は前記第２枠材のいずれか一方に対して固定するための固定部を備え、前記接続片の前記固定部及び前記上側横枠材の各々に、前記接続片を前記上側横枠材に対して固定するための固定部品を挿通する固定用挿通孔を形成し、前記固定用挿通孔に挿通される前記固定部品を、前記ヒンジ部が設置される領域以外に配置した。
【０１１８】
付記８の扉装置の枠体は、付記１から６のいずれか一項に記載の扉装置の枠体において、前記建物の壁に設けられた前記扉装置を構成する当該枠体であって、前記第１枠材は、前記開口部の下方側に位置する横枠材であるくつずり横枠材を含み、前記第２枠材は、前記開口部の戸尻側に位置する縦枠材である戸尻側縦枠材と、前記開口部の戸先側に位置する縦枠材である戸先側縦枠材と、を含み、前記くつずり横枠材における戸尻側の端部に、前記くつずり横枠材と前記戸尻側縦枠材とを接続するための前記接続片であり、中空状に形成された前記接続片を設けると共に、前記くつずり横枠材における戸先側の端部に、前記くつずり横枠材と前記戸先側縦枠材とを接続するための前記接続片であり、中空状に形成された前記接続片を設け、前記中空状の接続片は、前記くつずり横枠材の内部に充填される充填材料が前記接続片の内部に流入することを抑制するための第１側部と、前記第１側部とは異なる位置に設けられた第２側部であり、前記連結部として機能する第２側部と、を備えた。
【０１１９】
付記９の扉装置の枠体は、付記１から６のいずれか一項に記載の扉装置の枠体において、前記建物の壁に設けられた前記扉装置を構成する当該枠体であって、前記第１枠材は、前記開口部の上方側に位置する横枠材である上側横枠材と、前記開口部の下方側に位置する横枠材であり、当該枠体を組み立てる際にのみ用いられる横枠材である捨て横枠材と、を含み、前記第２枠材は、前記開口部の戸尻側に位置する縦枠材である戸尻側縦枠材と、前記開口部の戸先側に位置する縦枠材である戸先側縦枠材と、を含み、前記上側横枠材における戸尻側の端部に、前記上側横枠材と前記戸尻側縦枠材とを接続するための前記接続片を設けると共に、前記上側横枠材における戸先側の端部に、前記上側横枠材と前記戸先側縦枠材とを接続するための前記接続片を設け、前記捨て横枠材、前記戸尻側縦枠材、及び前記戸先側縦枠材の各々に、前記捨て横枠材を前記戸尻側縦枠材又は前記戸先側縦枠材に対して取り付けるための取付部品を挿通する取付用挿通孔を形成し、前記戸尻側縦枠材及び前記戸先側縦枠材の各々の前記取付用挿通孔を、前記設置状態において前記建物の床面よりも下方側に位置するように配置した。
【０１２０】
（付記の効果）
付記１に記載の扉装置の枠体によれば、設置状態において、開口部の中央側から見て第１枠材又は第２枠材によって切込部が覆われる位置に、当該切込部を設けたので、従来技術（枠体が設置された状態において、上側横枠に形成されたスリットを外部に露出するように設けた技術）とは異なり、設置状態において切込部が外部に露出することを回避でき、枠体の意匠性を維持することが可能となる。
【０１２１】
付記２に記載の扉装置の枠体によれば、設置状態において第１枠材又は第２枠材のいずれか他方に対して突き当てられる第１枠材又は第２枠材のいずれか一方の側部のうち、開口部の中央側に位置する中央側側部よりも開口部の中央側とは反対側の位置に、切込部及び位置決め部を設けたので、設置状態において切込部が外部に露出することを一層回避でき、枠体の意匠性を一層維持できる。
【０１２２】
付記３に記載の扉装置の枠体によれば、接続片として、第１枠材又は第２枠材のいずれか一方の側部のうち見込み方向側の側部の一方に固定された第１接続片と、第１枠材又は第２枠材のいずれか一方の側部のうち見込み方向側の側部の他方に固定された接続片であり、第１接続片とは別体に形成された接続片である第２接続片と、を設けたので、第１接続片及び第２接続片を一体に形成した場合に比べて、第１枠材又は第２枠材のいずれか一方の形状又は大きさが異なる様々な枠体に対して接続でき、第１接続片及び第２接続片の設置性を向上させることが可能となる。
【０１２３】
付記４に記載の扉装置の枠体によれば、第１切込部及び第２切込部を一体に形成したので、第１切込部及び第２切込部の加工を効率的に行うことができ、第１枠材又は第２枠材のいずれか他方の製造性を向上させることが可能となる。
【０１２４】
付記５に記載の扉装置の枠体によれば、第１接続片及び第２接続片を、相互に同一の形状に形成したので、第１接続片及び第２接続片の形状の統一化を図ることができ、第１接続片及び第２接続片の製造性を向上させることが可能となる。
【０１２５】
付記６に記載の扉装置の枠体によれば、組立状態において、接続用挿通孔が、第１枠材又は第２枠材のいずれか一方の中央側側部よりも開口部の中央側とは反対側の位置であり、且つ、当該中央側側部の近傍に位置するように、当該接続用挿通孔を配置したので、開口部の中央側の側部から離れた位置に接続用挿通孔を配置した場合に比べて、組立状態において第１枠材と第２枠材との相互間に隙間が生じることを抑制でき、枠体の意匠性をさらに一層維持できる。
【０１２６】
付記７に記載の扉装置の枠体によれば、固定用挿通孔に挿通される固定部品を、ヒンジ部が設置される領域以外に配置したので、ヒンジ部を第１枠材又は第２枠材のいずれか一方に対して取り付けた場合でも、固定部品によって扉体の回動が阻害されることを回避でき、扉装置の使用性を確保できる。
【０１２７】
付記８に記載の扉装置の枠体によれば、中空状の接続片が、くつずり横枠材の内部に充填される充填材料が接続片の内部に流入することを抑制するための第１側部と、第１側部とは異なる位置に設けられた第２側部であり、連結部として機能する第２側部と、を備えたので、くつずり横枠材の内部に充填材料が充填されている場合に、接続片の内部に充填材料が流入することを回避しながら、接続部品を用いて第２側部と第１枠材又は第２枠材のいずれか他方とを確実に連結することができ、枠体の設置性を維持できる。
【０１２８】
付記９に記載の扉装置の枠体によれば、戸尻側縦枠材及び戸先側縦枠材の各々の取付用挿通孔を、設置状態において建物の床面よりも下方側に位置するように配置したので、設置状態において戸尻側縦枠材及び戸先側縦枠材の各々の取付用挿通孔が外部に露出することを回避できるので、枠体の意匠性をさらに一層維持できる。
【符号の説明】
【０１２９】
１  扉装置
２  躯体
３  開口部
１０  枠体
１１  縦枠材、戸尻側縦枠材
１１ａ  取付孔
１１ｂ  第１ライナ
１１ｃ  左側側部の上端部
１１ｄ  左側側部
１１ｅ  第３ライナ
１１ｆ  取付孔
１１ｇ  左側側部の下端部
１２  縦枠材、戸先側縦枠材
１３  横枠材、上側横枠材
１３ａ  ダボ用挿通孔
１３ｂ  下側側部
１３ｃ  上側側部の前方部分
１３ｄ  上側側部の後方部分
１３ｅ  第２ライナ
１３ｆ  上側側部
１４  横枠材、くつずり横枠材
１４ａ  上側側部
１４ｂ  前側側部
１４ｃ  後側側部
１５  縦枠材本体
１６  固定材
１７  横枠材本体
１８  固定材
１９  捨て横枠材
１９ａ  取付用挿通孔
２０  扉体
２１  把手
２２  ドアクローザ
４１  表面材
４２  表面材
５０  ヒンジ部
５１  上軸受
５２  下軸
５３  ヒンジ部が設置される領域
６１  第１上側接続片
６２  第２上側接続片
６３  接続片本体
６４  固定部
６４ａ  固定用挿通孔
６４ｂ  ダボ部
６５  位置決め部
６６  連結部
６６ａ  接続用挿通孔
６７  固定部品
６８  接続部品
７１  第１上側切込部
７２  第２上側切込部
８０  下側接続片
８１  第１側部
８２  第２側部
８２ａ  接続用挿通孔
８３  第３側部
８３ａ  固定用挿通孔
８４  第４側部
８５  第５側部
８６  位置決め部
９０  下側切込部
９１  取付部品
９２  充填空間
【図１】
2018119378.tif 000003
【図２】
2018119378.tif 000004
【図３】
2018119378.tif 000005
【図４】
2018119378.tif 000006
【図５】
2018119378.tif 000007
【図６】
2018119378.tif 000008
【図７】
2018119378.tif 000009
【図８】
2018119378.tif 000010
【図９】
2018119378.tif 000011
【図１０】
2018119378.tif 000012
【図１１】
2018119378.tif 000013
【図１２】
2018119378.tif 000014
【図１３】
2018119378.tif 000015
【図１４】
2018119378.tif 000016
【図１５】
2018119378.tif 000017
【図１６】
2018119378.tif 000018
【図１７】
2018119378.tif 000019
【図１８】
2018119378.tif 000020
【図１９】
2018119378.tif 000021
【図２０】
2018119378.tif 000022
【図２１】
2018119378.tif 000023
【図２２】
2018119378.tif 000024
【図２３】
2018119378.tif 000025